【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
少なくとも２つの画像データセット内に位置する関心組織の体積における変化を決定するステップであり、前記変化が前記少なくとも２つの画像データセットの間で決定され、
前記少なくとも２つの画像データセットは、第１の時点で収集された第１の画像データセットと、第２の時点で収集された後続の第２の画像データセットとを含み、前記第１及び第２の時点は相異なり、前記変化は、前記第１及び第２の時点間の前記関心組織の成長による前記関心組織の物理的な大きさの増加に対応する、
決定するステップと、
前記関心組織が中に位置する領域と、該領域にわたる前記変化の大きさを指し示すしるしとを含む描画像を生成するステップであり、
前記領域が、前記少なくとも２つの画像データセットのうちの少なくとも１つに基づいて生成された前記描画像の一部のみの上に重ね合わされ、且つ、関心組織を表すボクセルを含んだ前記少なくとも２つの画像データセットそれぞれの対応する画像にリンクされる、
生成するステップと、
前記描画像をグラフィカルユーザインタフェースにて視覚的に提示するステップと、
を有する方法。
【請求項２】
前記リンクを行うことは、評価されるべき前記少なくとも２つの画像データセットのサブセットを特定する、請求項１に記載の方法。
【請求項３】
前記少なくとも２つの画像データセットはコンピュータ断層撮影画像データのセットであり、前記領域及び前記しるしは、前記コンピュータ断層撮影画像データの３次元描画像上に重ね合わされた“ホットスポット”を含むようにレンダリングされる、請求項１又は２に記載の方法。
【請求項４】
前記領域の位置及び／又は幾何学構成が、前記関心組織が中に位置するボリュームを指し示す、請求項１乃至３の何れかに記載の方法。
【請求項５】
前記しるしの透明度が、特定された前記関心組織が前記領域内にあることの信頼度を指し示す、請求項４に記載の方法。
【請求項６】
前記しるしの色又はグレー値が、前記領域にわたる前記関心組織の体積における前記変化の大きさを指し示す、請求項４又は５に記載の方法。
【請求項７】
前記しるしの透明度が更に、前記領域にわたる前記体積における前記変化の前記大きさの信頼度を指し示す、請求項６に記載の方法。
【請求項８】
前記領域の形状が、前記関心組織の推定サイズを指し示す、請求項１乃至７の何れかに記載の方法。
【請求項９】
体積における前記変化は、更なる評価のための前記画像データセットの画像を特定する前に決定される、請求項１乃至８の何れかに記載の方法。
【請求項１０】
当該方法は更に、ユーザにより特定された前記しるしの部分を指し示す信号に応答して、前記リンクに基づいて、前記第１の画像データセットからの第１の画像と、前記第２の画像データセットからの第２の画像とを視覚的に提示するステップを有し、前記第１の画像及び前記第２の画像は、前記特定された前記しるしの部分に対応する、請求項１乃至９の何れかに記載の方法。
【請求項１１】
少なくとも２つの画像データセット内に位置する関心組織の体積における変化を決定するように構成された組織体積変化決定部であり、前記変化が前記少なくとも２つの画像データセットの間で決定され、
前記少なくとも２つの画像データセットは、第１の時点で収集された第１の画像データセットと、第２の時点で収集された後続の第２の画像データセットとを含み、前記第１及び第２の時点は相異なり、前記変化は、前記第１及び第２の時点間の前記関心組織の成長による前記関心組織の物理的な大きさの増加に対応する、
組織体積変化決定部と、
描画像をレンダリングするとともに、前記少なくとも２つの画像データセットに基づいて生成されたボリューム画像を、前記関心組織が中に位置する領域を指し示す見込み領域、及び該領域にわたる前記関心組織の体積における変化を指し示すしるし、と結合するように構成されたレンダリングエンジンであり、前記領域が前記描画像の一部のみの上に重ね合わされ、
前記領域が、関心組織を表すボクセルを含んだ前記少なくとも２つの画像データセットそれぞれの対応する画像にリンクされる、
レンダリングエンジンと、
描画像をグラフィカルユーザインタフェースにて視覚的に提示するように構成されたディスプレイと、
を有する画像データ処理システム。
【請求項１２】
前記リンクを行うことは、特定された前記関心組織を確認するために評価されるべき前記少なくとも２つの画像データセットのサブセットを特定するように構成される、請求項１１に記載の画像データ処理システム。
【請求項１３】
前記少なくとも２つの画像データセットはコンピュータ断層撮影画像データのセットであり、前記しるしは、前記コンピュータ断層撮影画像データの３次元描画像上に重ね合わされた“ホットスポット”を含むようにレンダリングされる、請求項１１又は１２に記載の画像データ処理システム。
【請求項１４】
前記領域の位置及び／又は幾何学構成が、前記関心組織が中に位置するボリュームを指し示す、請求項１１乃至１３の何れかに記載の画像データ処理システム。
【請求項１５】
前記しるしの色又はグレースケールが、前記領域にわたる前記関心組織の体積における前記変化の大きさを指し示す、請求項１１乃至１４の何れかに記載の画像データ処理システム。
【請求項１６】
前記しるしの透明度が更に、前記関心組織が前記ボリューム内にあることの信頼度、又は前記領域にわたる前記体積における前記変化の大きさの信頼度、のうちの少なくとも一方を指し示す、請求項１４又は１５に記載の画像データ処理システム。
【請求項１７】
前記領域の形状が、前記関心組織の推定サイズを指し示す、請求項１１乃至１６の何れかに記載の画像データ処理システム。
【請求項１８】
前記グラフィカルユーザインタフェースは、回転、パン、ズーム、ウィンドウ表示、及びレベリングのうちの少なくとも１つを含んだ画像操作ツールを含む、請求項１１乃至１７の何れかに記載の画像データ処理システム。
【請求項１９】
前記ディスプレイは、ユーザにより特定された前記しるしの部分を指し示す信号に応答して、前記リンクに基づいて、前記第１の画像データセットからの第１の画像と、前記第２の画像データセットからの第２の画像とを視覚的に提示し、前記第１の画像及び前記第２の画像は、前記特定された前記しるしの部分に対応する、請求項１１乃至１８の何れかに記載の画像データ処理システム。
【請求項２０】
コンピュータ読み取り可能命令をエンコードされたコンピュータ読み取り可能記憶媒体であり、前記コンピュータ読み取り可能命令は、コンピューティングシステムのプロセッサによって実行されるとき、前記プロセッサに、
少なくとも２つのデータセット内に位置する関心組織の体積における変化を決定させ、前記変化は前記少なくとも２つのデータセットの間で決定され、第１のデータセットは第１の時点で収集され、第２のデータセットは後続の第２の時点で収集され、前記変化は、前記第１及び第２の時点間の前記関心組織の成長による前記関心組織の物理的な大きさの増加に対応し、
関心組織が中に位置する領域と、該領域にわたるボリュームの大きさにおける変化を指し示す第１のしるしと、前記関心組織が該領域内に位置すること及び該領域にわたる大きさにおける変化が前記大きさにおける変化を表していることの信頼度を指し示す第２のしるしと、を含む描画像を生成させ且つ視覚的に提示させ、該領域は前記描画像の一部のみの上に重ね合わされ、
前記第１のしるしは色又はグレースケール値であり、前記第２のしるしは透明度である、
コンピュータ読み取り可能記憶媒体。